(57)【要約】【課題】時針と分針を回転させて所定の表示を行う機能を有した電子時計において、時針と分針が早送り回転している間でも、すばやく、かつ、確実に、早送り先の針位置をユーザが確認することのできる電子時計、電子時計の指針駆動方法およびプログラムを提供する。【解決手段】時と分との各時刻を回転させながら運針表示する時針２および分針３と、この時針２および分針３よりも高速回転が可能な複数の指針４，５，６とを備え、時針２および分針３を早送り回転させて目的の針位置まで移動させている途中において（ステップＳ８，Ｓ９）、別の指針４，５をそれよりも高速回転させて時針２および分針３の目的の針位置を指し示しておく（ステップＳ７）。時針２と分針３の早送り回転中でも目的の針位置をユーザが迅速かつ確実に確認できるようにした。【選択図】図３
2010066046.tif 000002
【特許請求の範囲】
【請求項１】
時と分との各時刻を回転させながら運針表示する時針および分針と、
この時針および分針の回転よりも高速回転がそれぞれ可能な複数の指針と、
前記時針および分針が時を刻む通常時の回転速度よりも高速に当該時針および分針を早送り回転させて目的の針位置まで移動させる第１針位置移動制御手段と、
この第１針位置移動制御手段による前記時針および分針の移動制御の途中において、前記複数の指針の少なくとも２本を高速回転させて前記目的の針位置と対応する針位置に合わせる第２針位置移動制御手段と、
を備えたことを特徴とする電子時計。
【請求項２】
前記時針および分針は互いに連動して１個の駆動手段により回転駆動される構成であり、
前記複数の指針は個別の駆動手段によりそれぞれ独立的に回転駆動される構成であることを特徴とする請求項１記載の電子時計。
【請求項３】
前記第１針位置移動制御手段の移動制御によって前記時針および分針が前記目的の針位置まで移動したら、前記複数の指針を通常表示の位置へ戻す第３針位置移動制御手段を更に備えたことを特徴とする請求項１記載の電子時計。
【請求項４】
前記第１針位置移動制御手段の移動制御により前記時針および分針が現在位置から前記目的の針位置へ移動するのにかかる移動量を算出する時分針移動量算出手段と、
前記時分針移動量算出手段の算出値が所定の比較基準値を超えている場合に前記第２針位置移動制御手段による指針の移動制御を実行させ、前記比較基準値を下回っている場合には前記第２針位置移動制御手段による指針の移動制御を省略させる省略判別制御手段と、
を備えていることを特徴とする請求項１記載の電子時計。
【請求項５】
前記比較基準値は、前記第２針位置移動制御手段による指針の移動制御にかかる時間の換算値であることを特徴とする請求項４記載の電子時計。
【請求項６】
前記比較基準値は、前記第２針位置移動制御手段による指針の移動制御にかかるほぼ最大時間の換算値であることを特徴とする請求項４記載の電子時計。
【請求項７】
前記時針および分針を駆動する駆動手段は、順転と逆転の両方で前記時針および分針を回転駆動することが可能であり、且つ、順転の回転速度と逆転の回転速度とが異なる構成であり、
前記第１針位置移動制御手段は、
前記時針および分針が順転と逆転の何れの方が前記目的の針位置まで短時間で到達できるかを判別する回転方向判別手段を含み、
前記省略判別制御手段は、
前記順転の回転速度に対応する第１比較基準値と、前記逆転の回転速度に対応する第２比較基準値とを有し、
前記回転方向判別手段の判別結果に基づいて前記比較基準値として前記第１比較基準値と前記第２比較基準値とを切り換えて使用することを特徴とする請求項４〜６の何れか１項に記載の電子時計。
【請求項８】
前記時針および分針と連動して２４時間で一回転する２４時間時針を備え、
前記第１針位置移動制御手段は、前記時針および分針と前記２４時間時針とを目的の針位置に移動制御する構成であり、
前記時分針移動量算出手段は、前記時針および分針と前記２４時間時針とが前記目的の針位置まで移動するのにかかる移動量に関する量を算出する構成であることを特徴とする請求項４に記載の電子時計。
【請求項９】
前記時針および分針と、
これら時針および分針の回転軸と同軸上に回転軸を有し前記時針および分針より細いセンター針と、
前記文字盤の右側に配置されて回転する右指針と、
前記文字盤の左側に配置されて回転する下指針と、
前記文字盤の下側に配置されて回転する左指針と、
が設けられた文字盤を備え、
前記第２針位置移動制御手段により移動制御される指針は、前記センター針、前記右指針、前記下指針、前記左指針のうち何れか二本以上の指針であることを特徴とする請求項１記載の電子時計。
【請求項１０】
時と分との各時刻を回転させながら運針表示するとともに互いに連動して１個の駆動手段により回転駆動される時針および分針と、個別の駆動手段によりそれぞれ独立的に回転駆動されるとともに前記時針および分針の回転よりも高速回転がそれぞれ可能な複数の指針とを備えた電子時計の指針駆動方法であって、
前記時針および分針が時を刻む通常時の回転速度よりも高速に当該時針および分針を回転させて目的の針位置まで移動させる第１針位置移動制御ステップと、
前記第１針位置移動制御ステップによる前記時針および分針の移動制御の途中において、前記複数の指針の少なくとも２本を高速回転させて前記目的の針位置と対応する針位置に合わせる第２針位置移動制御ステップと、
を有することを特徴とする電子時計の指針駆動方法。
【請求項１１】
前記第１針位置移動制御ステップの移動制御によって前記時針および分針が前記目的の針位置まで移動したら、前記複数の指針を通常表示の位置へ戻す第３針位置移動制御ステップを有することを特徴とする請求項１０記載の電子時計の指針駆動方法。
【請求項１２】
時と分との各時刻を回転させながら運針表示するとともに互いに連動して１個の駆動手段により回転駆動される時針および分針と、個別の駆動手段によりそれぞれ独立的に回転駆動されるとともに前記時針および分針の回転よりも高速回転がそれぞれ可能な複数の指針とを備えた電子時計のコンピュータに、
前記時針および分針が時を刻む通常時の回転速度よりも高速に当該時針および分針を回転させて目的の針位置まで移動させる第１針位置移動制御機能と、
前記第１針位置移動制御機能による前記時針および分針の移動制御の途中において、前記複数の指針の少なくとも２本を高速回転させて前記目的の針位置と対応する針位置に合わせる第２針位置移動制御機能と、
を実現させるためのプログラム。
【請求項１３】
前記コンピュータに、
前記第１針位置移動制御機能の移動制御によって前記時針および分針が前記目的の針位置まで移動したら、前記複数の指針を通常表示の位置へ戻す第３針位置移動制御機能を実現させるための請求項１２記載のプログラム。
【発明の詳細な説明】
【技術分野】
【０００１】
この発明は、時針と分針に加えて複数の指針を有する電子時計、このような電子時計の指針駆動方法およびプログラムに関する。
【背景技術】
【０００２】
アナログ表示部を有する電子時計においては、例えば、表示時刻と実際の時刻とが異なっていた場合に、時針や分針を高速に回転させて実際の時刻に合わせる自動時刻修正機能を備えるものがある。また、日本の時刻を表示する通常モードと外国の時刻を表示するワールドタイムモードとの切り換えが可能な電子時計の場合、通常モードからワールドタイムモードに切り換えたときに、時針と分針が高速に回転して各モードに対応する時刻表示に切り換わるように動作する。
【０００３】
また、時針と分針によりアラームのセット時刻の確認を行う機能を有する電子時計では、セット時刻の確認処理を開始すると、時針と分針とが高速に回転して、時針と分針とが現在時刻を指し示した状態から、アラームのセット時刻を指し示す状態まで切り換わるように動作する。
【０００４】
また、本願発明に関連する従来技術として、引用文献１，２には、アナログ表示部と液晶表示部とを有する時計において、アナログ表示部の時刻修正を行う際に液晶表示部に修正時刻を表示する技術が開示されている。
【特許文献１】特開２００２−７１８４４号公報
【特許文献２】特開２００２−７１８４５号公報
【発明の開示】
【発明が解決しようとする課題】
【０００５】
上述した自動時刻修正機能、ワールドモード切換機能、アラームセット時刻確認機能など、時針と分針とを目的の針位置まで高速に回転移動させることで所定の表示を行う機能にあっては、時針と分針の回転動作が完了するまで、ユーザがその表示内容を確認できないという課題がある。
【０００６】
特に、現在の針位置と目的の針位置とが遠くかけ離れている場合、時針と分針とを目的の針位置に合わせるまでに比較的長い時間を要するため、ユーザが表示内容を確認できない状態が長い時間続いてしまうという課題がある。
【０００７】
また、特許文献１，２の技術を適用するには液晶表示部などを備えていなくてはならないという課題があり、また、液晶表示部の表示内容が重要なものであって表示内容の変更が困難であったり、例えば日付表示しかできず時間表示が困難であったりする場合などには、適用できないという課題がある。
【０００８】
この発明の目的は、時針と分針とを高速に回転させて所定の表示を行う機能を有した電子時計において、時針と分針とが高速に回転している間でも、すばやく、その表示内容をユーザが確認することのできる電子時計、電子時計の指針駆動方法およびプログラムを提供することにある。
【課題を解決するための手段】
【０００９】
上記目的を達成するため、請求項１記載の発明は、
時と分との各時刻を回転させながら運針表示する時針および分針と、
この時針および分針の回転よりも高速回転がそれぞれ可能な複数の指針と、
前記時針および分針が時を刻む通常時の回転速度よりも高速に当該時針および分針を早送り回転させて目的の針位置まで移動させる第１針位置移動制御手段と、
この第１針位置移動制御手段による前記時針および分針の移動制御の途中において、前記複数の指針の少なくとも２本を高速回転させて前記目的の針位置と対応する針位置に合わせる第２針位置移動制御手段と、
を備えたことを特徴としている。
【００１０】
請求項２記載の発明は、請求項１記載の電子時計において、
前記時針および分針は互いに連動して１個の駆動手段により回転駆動される構成であり、
前記複数の指針は個別の駆動手段によりそれぞれ独立的に回転駆動される構成であることを特徴としている。
【００１１】
請求項３記載の発明は、請求項１記載の電子時計において、
前記第１針位置移動制御手段の移動制御によって前記時針および分針が前記目的の針位置まで移動したら、前記複数の指針を通常表示の位置へ戻す第３針位置移動制御手段を更に備えたことを特徴としている。
【００１２】
請求項４記載の発明は、請求項１記載の電子時計において、
前記第１針位置移動制御手段の移動制御により前記時針および分針が現在位置から前記目的の針位置へ移動するのにかかる移動量を算出する時分針移動量算出手段と、
前記時分針移動量算出手段の算出値が所定の比較基準値を超えている場合に前記第２針位置移動制御手段による指針の移動制御を実行させ、前記比較基準値を下回っている場合には前記第２針位置移動制御手段による指針の移動制御を省略させる省略判別制御手段と、
を備えていることを特徴としている。
【００１３】
請求項５記載の発明は、請求項４記載の電子時計において、
前記比較基準値は、前記第２針位置移動制御手段による指針の移動制御にかかる時間の換算値であることを特徴としている。
【００１４】
請求項６記載の発明は、請求項４記載の電子時計において、
前記比較基準値は、前記第２針位置移動制御手段による指針の移動制御にかかるほぼ最大時間の換算値であることを特徴としている。
【００１５】
請求項７記載の発明は、請求項４〜６の何れか１項に記載の電子時計において、
前記時針および分針を駆動する駆動手段は、順転と逆転の両方で前記時針および分針を回転駆動することが可能であり、且つ、順転の回転速度と逆転の回転速度とが異なる構成であり、
前記第１針位置移動制御手段は、
前記時針および分針が順転と逆転の何れの方が前記目的の針位置まで短時間で到達できるかを判別する回転方向判別手段を含み、
前記省略判別制御手段は、
前記順転の回転速度に対応する第１比較基準値と、前記逆転の回転速度に対応する第２比較基準値とを有し、
前記回転方向判別手段の判別結果に基づいて前記比較基準値として前記第１比較基準値と前記第２比較基準値とを切り換えて使用することを特徴としている。
【００１６】
請求項８記載の発明は、請求項４に記載の電子時計において、
前記時針および分針と連動して２４時間で一回転する２４時間時針を備え、
前記第１針位置移動制御手段は、前記時針および分針と前記２４時間時針とを目的の針位置に移動制御する構成であり、
前記時分針移動量算出手段は、前記時針および分針と前記２４時間時針とが前記目的の針位置まで移動するのにかかる移動量に関する量を算出する構成であることを特徴としている。
【００１７】
請求項９記載の発明は、請求項１に記載の電子時計において、
前記時針および分針と、
これら時針および分針の回転軸と同軸上に回転軸を有し前記時針および分針より細いセンター針と、
前記文字盤の右側に配置されて回転する右指針と、
前記文字盤の左側に配置されて回転する下指針と、
前記文字盤の下側に配置されて回転する左指針と、
が設けられた文字盤を備え、
前記第２針位置移動制御手段により移動制御される指針は、前記センター針、前記右指針、前記下指針、前記左指針のうち何れか二本以上の指針であることを特徴としている。
【００１８】
請求項１０記載の発明は、
時と分との各時刻を回転させながら運針表示するとともに互いに連動して１個の駆動手段により回転駆動される時針および分針と、個別の駆動手段によりそれぞれ独立的に回転駆動されるとともに前記時針および分針の回転よりも高速回転がそれぞれ可能な複数の指針とを備えた電子時計の指針駆動方法であって、
前記時針および分針が時を刻む通常時の回転速度よりも高速に当該時針および分針を回転させて目的の針位置まで移動させる第１針位置移動制御ステップと、
前記第１針位置移動制御ステップによる前記時針および分針の移動制御の途中において、前記複数の指針の少なくとも２本を高速回転させて前記目的の針位置と対応する針位置に合わせる第２針位置移動制御ステップと、
を有することを特徴としている。
【００１９】
請求項１１記載の発明は、請求項１０記載の電子時計の指針駆動方法において、
前記第１針位置移動制御ステップの移動制御によって前記時針および分針が前記目的の針位置まで移動したら、前記複数の指針を通常表示の位置へ戻す第３針位置移動制御ステップを有することを特徴としている。
【００２０】
請求項１２記載の発明は、
時と分との各時刻を回転させながら運針表示するとともに互いに連動して１個の駆動手段により回転駆動される時針および分針と、個別の駆動手段によりそれぞれ独立的に回転駆動されるとともに前記時針および分針の回転よりも高速回転がそれぞれ可能な複数の指針とを備えた電子時計のコンピュータに、
前記時針および分針が時を刻む通常時の回転速度よりも高速に当該時針および分針を回転させて目的の針位置まで移動させる第１針位置移動制御機能と、
前記第１針位置移動制御機能による前記時針および分針の移動制御の途中において、前記複数の指針の少なくとも２本を高速回転させて前記目的の針位置と対応する針位置に合わせる第２針位置移動制御機能と、
を実現させるためのプログラムである。
【００２１】
請求項１３記載の発明は、請求項１２記載のプログラムにおいて、
前記コンピュータに、
前記第１針位置移動制御機能の移動制御によって前記時針および分針が前記目的の針位置まで移動したら、前記複数の指針を通常表示の位置へ戻す第３針位置移動制御機能を実現させることを特徴としている。
【発明の効果】
【００２２】
本発明に従うと、時針と分針とを高速に回転させて目的の針位置まで移動させる途中において、時針と分針との回転速度よりも高速回転される他の指針を先に高速回転させることによって時針や分針の目的の針位置を迅速かつ確実に当該他の指針を通じて示すことができる。従って、ユーザは時針と分針が比較的長い時間をかけて回転する場合でも、その目的の針位置を迅速かつ確実に確認することが可能となる。
【発明を実施するための最良の形態】
【００２３】
以下、本発明の実施の形態を図面に基づいて説明する。
【００２４】
［第１実施形態］
図１は、本発明の第１実施形態の電子時計の文字盤上の構成を示す図、図２は、この電子時計の内部構成を示すブロック図である。
【００２５】
本発明の実施形態の電子時計１は、例えば、ストップウォッチ機能を有した腕時計（クロノグラフ）であり、文字盤９上には、時刻の時桁を表示する時針２、時刻の分桁を表示する分針３、時分針２，３と同一軸上に回転軸を有し時分針２，３より細く長い形状にされたセンター針４、文字盤９の右側（３時方向）に配置されて回転する右指針５、文字盤９の下側（６時方向）に配置されて回転する下指針６、文字盤９の左側（９時方向）に配置されて回転する左指針と、例えば、日にち表示を行う表示部１１などが設けられている。
【００２６】
特に制限されるものではないが、第１実施形態において、センター針４はストップウォッチの計測秒や電子時計１に備わる各種機能動作の内容を指し示すものである。また、右指針５は曜日等を指し示すもの、下指針６は時刻の秒桁の表示やストップウォッチの計測分を表示するもの、左指針７は時刻の２４時間計の時桁を表わすものである。
【００２７】
電子時計１の内部には、図２に示すように、時計の全体的な制御を行うマイクロコンピュータ（ＭＣＵ）２０と、時分針２，３と左指針（２４時間時針）７とを連動させて駆動する第１時計ムーブメント３１と、センター針４を駆動する第２時計ムーブメント３２と、右指針５を駆動する第３時計ムーブメント３３と、下指針（秒針）６を駆動する第４時計ムーブメント３４と、制御プログラムや制御データが格納されたＲＯＭ３５と、作業用のメモリ空間を提供するＲＡＭ３６と、複数の操作ボタンなどを有する操作部３７と、所定周波数の発振信号を出力する発振回路３８およびこの発振信号を分周して計時用のクロック信号を生成する分周回路３９と、各部に電源電圧を供給する電源部４０と、アンテナＡＮを介して標準電波を受信して時刻コードを復調する電波受信回路４１等が設けられている。
【００２８】
第１〜第４時計ムーブメント３１〜３４は、各々独立して駆動可能なステッピングモータを備えている。そして、これらのステッピングモータがステップ駆動することで、この運動が例えば歯車等を介して伝達されて、対応する指針が所定角度分だけ回転駆動するようになっている。
【００２９】
例えば、第１時計ムーブメント３１のステッピングモータがステップ駆動すると、分針３と時針２と左指針（２４時間時針）７とが歯車を介して連動して駆動するようになっている。具体的には、第１時計ムーブメント３１において３６０ステップ分の駆動が行われることで、分針３が３６０度回転、時針２が３０度回転（１時間分の運針）、左指針７が１５度回転するように構成されている。
【００３０】
また、第１時計ムーブメント３１は、時刻表示を行う通常モード時において、マイクロコンピュータ２０により、例えば１０秒ごとに１ステップ駆動するようにタイミング制御され、それにより、時分針２，３と左指針（２４時間時針）７とが時間の流れに従ったスピードで回転駆動されて、これらの指針２，３，７により時刻表示がなされるようになっている。
【００３１】
また、第１時計ムーブメント３１は、時針２や分針３を通常モード時より高速に且つ順転と逆転の両方に回転させることが可能にされている。順転と逆転とではそれぞれ速度が異なり、例えば、順転では６４ｐｐｓ（Pulse Par Step）すなわち１秒間で６４ステップの駆動が可能にされ、逆転では３２ｐｐｓ、すなわち１秒間で３２ステップの駆動が可能にされている。この高速に回転させるモードのことを以下高速移動モードと呼ぶ。
【００３２】
第２〜第４時計ムーブメント３２〜３４は６０ステップ分の駆動がなされることで、対応するセンター針４、右指針５、下指針６が、それぞれ独立して３６０度回転するようになっている。
【００３３】
また、第２〜第４時計ムーブメント３２〜３４は、時刻表示やストップウォッチなどの各機能動作を行う際には、マイクロコンピュータ２０により各機能動作に対応したスピードでステップ駆動するようにタイミング制御される。さらに、各指針（センター針４、右指針５、下指針６）の位置を高速に移動させる際には、例えば、順転方向に６４ｐｐｓの駆動が可能にされている。この高速に回転させるモードのことを高速移動モードと呼ぶ。
【００３４】
マイクロコンピュータ２０には、ＲＯＭ３５に格納されている制御プログラムを実行するＣＰＵ（中央演算処理装置）２０Ａ、分周回路３９からのクロック信号をカウントして現在時刻の計時を行う計時カウンタ、第１〜第４時計ムーブメント３１〜３４のステップ数をそれぞれカウントする第１〜第４針位置カウンタなどが設けられている。
【００３５】
また、ＲＯＭ３５に格納されている制御プログラムには、現在時刻の確認と時刻の修正とを自動的に行う自動時刻修正処理プログラム、アラームの設定時刻を表示するアラーム設定時刻確認処理プログラム、世界の時刻表示に切り換えるワールドモード切換処理プログラムなどが含まれている。
【００３６】
自動時刻修正処理プログラムは、例えば所定時刻になった場合や所定操作が行われた場合など、所定条件が成立したことに基づいてマイクロコンピュータ２０のＣＰＵ２０Ａにより実行されるものである。自動時刻修正処理が開始されると、マイクロコンピュータ２０のＣＰＵ２０Ａは、電波受信回路４１を起動させて標準電波を受信させ、受信した標準電波から時刻コードを復調して現在時刻を確認する。次いで、この現在時刻をマイクロコンピュータ２０の計時カウンタの値と比較して、計時カウンタの値がずれていないか確認する。そして、計時カウンタの値がずれていればそれを修正するとともに、この計時カウンタの値が反映されるように、高速移動モードで第１時計ムーブメント３１や第４時計ムーブメント３４を駆動して、時針２、分針３、左指針（２４時間時針）７、および、下指針（秒針）６の各針位置を、時刻コードで修正済みの計時カウンタの値に対応する針位置まで移動させる。移動させたら、第１時計ムーブメント３１や第４時計ムーブメント３４を通常の時刻表示モードの駆動スピードに戻してこの自動時刻修正処理を終了する。
【００３７】
アラーム設定時刻確認処理プログラムは、例えばユーザが操作部３７を介して所定の操作入力を行ったことに基づいてマイクロコンピュータ２０のＣＰＵ２０Ａにより実行されるものである。アラーム設定時刻確認処理が開始されると、マイクロコンピュータ２０のＣＰＵ２０Ａは、以前に設定されＲＡＭ３６等に格納されているアラーム設定時刻を読み出すとともに、高速移動モードで第１時計ムーブメント３１を駆動して、時針２、分針３、左指針（２４時間時針）７の針位置をアラーム設定時刻を表わす位置まで移動させる。そして、所定時間（例えば１分〜５分など）が経過したり所定の操作入力が行われたりした場合に、再び、高速移動モードで第１時計ムーブメント３１を駆動して、時針２、分針３、左指針（２４時間時針）７の針位置を計時カウンタの値に対応する針位置まで移動させる。移動させたら、第１時計ムーブメント３１を通常の時刻表示モードの駆動スピードに戻してこのアラーム設定時刻確認処理を終了する。
【００３８】
ワールドモード切換処理プログラムは、例えばユーザが操作部３７を介して所定の操作入力を行ったことに基づいてマイクロコンピュータ２０のＣＰＵ２０Ａにより実行されるものである。ワールドモード切換処理が開始されると、マイクロコンピュータ２０のＣＰＵ２０Ａは、表示切換先に選択された地域（例えばニューヨークや香港など）に応じた時差を、予めＲＯＭ３５等に格納されている各地域と時差との関係を表わしたデータテーブルの中から抽出するとともに、高速移動モードで第１時計ムーブメント３１を駆動して、時針２、分針３、左指針（２４時間時針）７の針位置を、計時カウンタの値に時差を加減算した値に対応する針位置まで移動させる。移動させたら、第１時計ムーブメント３１を通常の時刻表示モードの駆動スピードに戻してワールドモード切換処理を終了する。
【００３９】
また、上記の自動時刻修正処理、アラーム設定時刻確認処理、ワールドモード切換処理における時針２と分針３および左指針（２４時間時針）７を目的の針位置まで高速移動モードで移動させる時分針早送り処理（第１針位置移動制御手段）の際には、次の簡易表示処理（第２針位置移動制御手段）が途中で挿入されて実行されるようになっている。
【００４０】
簡易表示処理とは、時分針２，３を高速移動モードで目的の針位置まで移動させる際に、センター針４と右指針５とを、上記目的の針位置に対応する針位置に移動させて、センター針４と右指針５により時分針２，３の移動先の針位置を先に指し示すものである。これは、時分針２，３と左指針（２４時間時針）７は互いに連動して回転するためこれらを全周分回転させるのに分針３にして２４周分の回転が必要であることから、時分針２，３を目的の針位置に移動させるのに比較的長い時間を要することがあるためである。それに対して、センター針４や右指針５は独立して１周分の回転を行うことができるので、時分針２，３を目的の針位置に移動させるのに比較的長い時間がかかる場合に、それよりもごく短時間に時分針２，３の移動先の針位置を指し示すことができる。このセンター針４と右指針５による簡易表示により、ユーザは時分針２，３の移動先の針位置を速やかに認識することが可能となる。
【００４１】
なお、上記の時分針早送り処理や簡易表示処理を含んだ制御プログラムは、この実施形態においては、上記のＲＯＭ３５に格納されると説明したが、その他、マイクロコンピュータ２０内の不揮発性メモリなどに格納されるようにしても良い。また、電子時計１に外部から制御プログラムをロードさせて制御プログラムを更新可能な構成とすれば、本発明に係るプログラムは、例えば、コンピュータが読み取り可能な記憶媒体に格納される形態であっても良い。記憶媒体は、例えば、光ディスク等の河搬型記憶媒体、フラッシュメモリ等の不揮発性メモリ、ＲＯＭ（Read Only Memory）等を適用することが可能である。また、本発明に係るプログラムを通信回線を介して提供する媒体としてキャリアウェーブ（搬送波）も適用できる。
【００４２】
次に、この簡易表示処理を途中に挿んだ時分針早送り処理についてフローチャートと説明図を参照しながら詳細に説明する。
【００４３】
図３には、ＣＰＵ２０Ａにより実行される時分針早送り処理のフローチャートを、図４には、図３のステップＳ７で実行される簡易時刻表示用針早送りセット処理のサブルーチン処理のフローチャートを、図５には、図３のステップＳ９で開始された割込み処理により時分針が目的の針位置に到達した際に実行される時分針早送り終了処理のフローチャートを、それぞれ示す。
【００４４】
また、図６〜図１２には、自動時刻修正処理の際の各指針の動きを表わした説明図を示す。図６、図７、図９〜図１２は自動時刻修正処理の第１段階〜第６段階の各指針の動きを表わしたもの、図８は現在位置から早送りセット位置までのステップ数や回転方向の算出方法を表わしたものである。
【００４５】
例えば、図６に示すように、所定時刻（例えば０時０分０秒）になったことに基づいて自動時刻修正処理が開始されたとする。図６において、センター針４は基準位置に停止した状態にあり、右指針５は曜日を指し示し、下指針６は０秒位置を指し示し、左指針７は２４時間表示で０時の位置を指し示した状態にある。
【００４６】
自動時刻修正処理が開始されると、電波受信回路４１が起動して電波受信処理を開始するとともに、それに伴ってセンター針４が電波受信の待機中を示す「READY」の位置に移動する。さらに、標準電波が受信され始めるとセンター針４が電波受信中を示す「WORK」の位置に移動する。そして、図７に示すように、２分程度の受信処理が行われて受信処理が完了する。受信中も第１時計ムーブメント３１には通常の時刻表示の駆動制御が行われ、それにより時針２や分針３は少し進んでいる。
【００４７】
ここで、マイクロコンピュータ２０のＣＰＵ２０Ａは、図３の時分針早送り処理に移行して、ステップＳ１〜Ｓ９の処理を実行する。先ず、ステップＳ１において、時分針２，３の早送りが必要か否かを確認する。すなわち、この自動時刻修正処理の場合では、時刻コードにより表わされる現在時刻の時分桁の値が計時カウンタの値と異なっていれば、時分針早送りを開始するためにＹｅｓ側に分岐して、次のステップＳ２に移行する。一方、現在時刻の時分桁の値が計時カウンタの値と同一であれば、時分針２，３の早送りは必要ないので、Ｎｏ側に分岐してそのまま時分針早送り処理を終了する。
【００４８】
ステップＳ２では、時針２と分針３を高速移動モードで移動させる目的の針位置（早送りセット位置）をセットする処理を行う。ここでは、現在時刻の時分桁の値に対応する時針２と分針３の針位置を示すデータがセットされる。なお、早送り処理に１分以上の時間がかかる場合には、その時間を現在時刻に加算したときの針位置を示すデータがセットされる。
【００４９】
続いて、ステップＳ３では、現在の時分針２，３の位置とステップＳ２でセットされた早送りセット位置との比較を行う。すなわち、現在の時分針２，３が指し示す時刻と早送りセット位置で時分針２，３が指し示す時刻との差異を算出する（時分針移動量算出手段）。この時間差により、現在の時分針２，３を早送りセット位置まで移動するのに必要な第１時計ムーブメントのステップ数が算出可能となる。また、順転と逆転の何れのほうが早く移動できるかも判別可能となる。
【００５０】
ここで、図８を参照して早送りセット位置までの時間差から、この早送りセット位置までの移動に必要なステップ数と、順転の場合と逆転の場合の所要時間の差について説明する。図８中、二点鎖線により早送りセット位置の指針を表わしている。
【００５１】
例えば、図８（ａ）に示すように、早送りセット位置が４時３０分だった場合、順転と逆転とで時間差は４時間２８分と−１９時間３２分になる。時分針２，３は第１時計ムーブメントを６ステップ駆動すると１分間分進むので、それにより順転と逆転とで必要なステップ数は１６０８ステップと７０３２ステップと求められる。また、順転の場合の高速移動モードでのステップ駆動のスピードは６４ｐｐｓであり、逆転の場合の高速移動モードでのステップ駆動のスピードは３２ｐｐｓなので、それにより早送りセット位置まで時分針２，３を移動させるのに必要な所要時間は順転と逆転とで２５秒と２２０秒と求められる。
【００５２】
また、図８（ｂ）に示すように、早送りセット位置が１０時３０分だった場合、順転と逆転とで時間差は１０時間２８分と−１３時間３２分になる。時分針２，３は第１時計ムーブメントを６ステップ駆動すると１分間分進むので、それにより順転と逆転とで必要なステップ数は３７６８ステップと４８７２ステップと求められる。また、順転の場合の高速移動モードでのステップ駆動のスピードは６４ｐｐｓであり、逆転の場合の高速移動モードでのステップ駆動のスピードは３２ｐｐｓなので、それにより早送りセット位置まで時分針２，３を移動させるのに必要な所要時間は順転と逆転とで５９秒と１５２秒と求められる。
【００５３】
また、図８（ｃ）に示すように、早送りセット位置が１９時３０分だった場合、順転と逆転とで時間差は１９時間２８分と−４時間３２分になる。時分針２，３は第１時計ムーブメントを６ステップ駆動すると１分間分進むので、それにより順転と逆転とで必要なステップ数は７００８ステップと１６３２ステップと求められる。また、順転の場合の高速移動モードでのステップ駆動のスピードは６４ｐｐｓであり、逆転の場合の高速移動モードでのステップ駆動のスピードは３２ｐｐｓなので、それにより早送りセット位置まで時分針２，３を移動させるのに必要な所要時間は順転と逆転とで１１０秒と５１秒と求められる。
【００５４】
ステップＳ３で、現在針位置と早送りセット位置の比較とを行ったら、次いで、ステップＳ４で時分針２，３を移動させるのに逆転とするか順転とするか所要時間の短いほうを選択する判定処理を行う（回転方向判別手段）。この判定処理では、図８（ａ）〜（ｃ）に示したように、順転と逆転の場合の所要時間を演算により求め、それらを比較して判定しても良いし、順転と逆転とで所要時間の大小が入れ換わる時間差閾値を制御データとしてＲＯＭ３６に格納しておき、この時間差閾値との比較により順転と逆転とを判定するようにしても良い。
【００５５】
順転か逆転の判定をしたら、次に、ステップＳ５又はステップＳ６において、簡易表示を実行するか省略するかを判別する処理を行う（省略判別制御手段）。すなわち、現在針位置と早送りセット位置との時間差が極小さい場合には、わざわざセンター針４と右指針５を用いた簡易表示を行うまでもなく、時分針２，３を速やかに早送りセット位置まで移動させることが出来る。従って、このように速やかに時分針の早送りが可能である場合に、簡易表示を省略させるものである。
【００５６】
ステップＳ５又はステップＳ６の判別処理では、センター針４と右指針５による簡易表示にかかるほぼ最大時間が、時針２と分針３を早送りセット位置まで移動するのに必要な時間より長いか短いかを比較して、短い場合に簡易表示を省略させるものである。すなわち、センター針４と右指針５により簡易表示にかかる最大時間は、これらセンター針４や右指針５をほぼ一回転させる時間なので、この時間を時分針２，３の順転方向のステップ数に換算すると６０ステップとなる。また、逆転方向のステップ数に換算すると１２０ステップとなる。従って、ステップＳ５，Ｓ６において、時分針２，３の回転方向に応じて、時分針２，３の現在位置から早送りセット位置までのステップ数と上記の換算値（順転の場合は第１比較基準値として６０ステップ、逆転の場合は第２比較基準値として１２０ステップ）とを比較する。そして、早送りセット位置までのステップ数が大きければ簡易表示を実行するためにステップＳ７に移行するが、小さければ簡易表示を省略するためにステップＳ８にジャンプする。
【００５７】
ステップＳ７に移行した場合には、簡易表示を行うために、図４の簡易時刻表示用針早送りセット処理を実行する。すなわち、図４に示すように、右指針５の移動先データに早送りセット位置の時桁データをセットし（ステップＳ１１）、センター針４の移動先データに早送りセット位置の分桁データをセットし（ステップＳ１２）、簡易表示の実行を後に識別するための簡易表示用識別フラグをセットする（ステップＳ１３）。
【００５８】
次いで、図３のステップＳ８では、時分針２，３と左指針（２４時間時針）７を早送りセット位置に移動させるための移動先データをセットする。
【００５９】
移動先データをセットしたら、ステップＳ９において、指針を高速移動モードで移動させるための割込み処理を許可する。これにより、この割込処理がマイクロコンピュータ２０のＣＰＵ２０Ａにより他の制御処理と並列的に実行されて、先に移動先データとしてセットされている指針が高速移動モードで回転駆動される。そして、移動先データに示された位置まで移動する。
【００６０】
すなわち、ステップＳ７のセット処理が省略されていなければ、図９に示すように、右指針５が高速移動モードで回転駆動されて、時針２の移動先の針位置（例えば８時〜９時の位置）に対応する針位置（同一角度あるいは同一の時桁値を指し示す位置）まで移動して停止する。また、センター針４も高速移動モードで回転駆動されて、分針３の移動先の針位置（例えば５３分の位置）に対応する針位置（同一角度あるいは同一の分桁値を指し示す位置）まで移動して停止する。なお、ステップＳ７のセット処理が省略されていれば、これらの動作はない。
【００６１】
なお、図９に示すように、自動時刻修正処理の場合には、電波受信中に下指針（秒針）６が停止されるので、上記の動作と同時に下指針６も現在時刻の秒桁の針位置まで高速移動モードで移動し、移動後は通常の時刻表示モードのスピードで回転する。
【００６２】
このように、簡易表示処理によるセンター針４と右指針５の移動の方が、時分針２，３の移動よりも早く移動完了するため、ユーザはセンター針４と右指針５による簡易表示を見ることで確実かつ速やかに時分針２，３の移動先を認識することが可能となる。
【００６３】
さらに、上記のセンター針４と右指針５の簡易表示用の移動処理の後、或いは、これらの移動と同時に、図１０に示すように、時分針２，３と左指針７とが高速移動モードで回転駆動を開始する。そして、図１１に示すように、時分針２，３と左指針７とが移動先の針位置（例えば８時５３分）まで移動する。このとき、時針２と右指針５とは対応する針位置となり、分針３とセンター針４とは対応する針位置となる。
【００６４】
時分針２，３と左指針７とが目的の針位置まで移動したら、高速移動モードの駆動が終了される。そして、通常の時刻表示モードのスピードで第１時計ムーブメント３１が駆動して、そのまま時刻表示用の動作を続けるように制御される。
【００６５】
さらに、上記の高速移動モードの駆動が終了したら、割込処理側からの通知がなされて、それにより図５の時分針早送り終了処理（第３針位置移動制御手段）が実行されるようになっている。この時分針早送り終了処理は、簡易表示で移動させたセンター針４と右指針５を通常表示用の針位置に戻すための処理である。
【００６６】
時分針早送り終了処理が開始されると、先ず、ステップＳ２１において、簡易表示を実行したことを示す簡易表示用識別フラグを参照し、フラグが有効値になっているか否かを判別する。そして、簡易表示を省略しておりこのフラグが無効値になっていれば、そのままこの時分針早送り終了処理を終了する。
【００６７】
一方、簡易表示を実行しており上記フラグ値が有効値になっていれば、ステップＳ２２に移行して、センター針４と右指針５とを通常表示用の針位置に戻すための処理を実行する。すなわち、ステップＳ２２では、右指針５の移動先データとして曜日値をセットする。続いて、ステップＳ２３では、センター針４の移動先データとして基準位置（０秒位置）の値をセットする。そして、ステップＳ２４で高速移動モードでの回転駆動を実行する割込処理を許可する。これにより、高速移動モードでの回転駆動を行う割込処理が実行されて、図１２に示すように、移動先データがセットされた右指針５とセンター針４とが簡易表示で停止した位置から高速移動モードで回転駆動して、通常表示用の針位置まで戻る。
【００６８】
その後は、マイクロコンピュータ２０のＣＰＵ２０Ａにより通常の処理モードに戻されて、時刻表示等の通常の処理が実行される。
【００６９】
以上のように、この実施形態の電子時計１によれば、時針２と分針３とを高速移動モードで目的の針位置まで移動させる際に、センター針４と右指針５とを高速に回転させて、時針２や分針３よりも先に目的の針位置を指し示してしまう簡易表示処理を行うようになっているので、時針２と分針３とを目的の針位置まで移動させるのに比較的に長い時間がかかる場合でも、ユーザは簡易表示により目的の針位置を先んじて認識することが可能となる。
【００７０】
また、簡易表示処理に使用される指針は、独立して回転駆動可能な指針であり、互いに連動して回転する時分針２，３よりも速やかに任意な位置に移動できる構成であるため、簡易表示処理により目的の針位置を速やかに指し示してユーザに認識させることができる。
【００７１】
さらに、時分針２，３が高速移動モードで目的の針位置まで移動したら、図５の時分針早送り終了処理により、簡易表示処理で使用した指針４，５が通常の針位置まで自動的に戻されるようになっているので、簡易表示処理後に簡易表示処理で使用した指針４，５の機能が損なわれることがなく、また、ユーザに簡易表示で使用した指針４，５を元に戻すような煩雑な操作が要求されることも回避できる。
【００７２】
また、時分針２，３を高速移動モードで目的の針位置まで移動させるための所要時間が短い場合には、簡易表示を省略するようにしているので、不必要な動作を省いて消費電力の低減を図ったり、不必要な指針の動作によってユーザに紛らわしい感じを与えることも回避できる。
【００７３】
さらに、簡易表示を実行するか省略するかは、時分針早送り処理での時分針２，３の移動時間と、簡易表示にかかる略最大時間との比較により決定しているので、負荷がほとんどかかることのない制御処理によって、適宜な選択を行うことが可能になっている。なお、簡易表示でセンター針４や右指針５を移動させるステップ数を演算し、実際に簡易表示にかかる時間と、時分針早送り処理での時分針２，３の移動時間とを比較して、前者の方が長ければ簡易表示を省略するように構成することもできる。これにより、簡易表示の実行／省略の適宜な選択を行うことができる。或いは、簡易表示の実行／省略の選択を、例えば、簡易表示にかかる時間とは関係なく、時分針早送り処理での時分針２，３の移動時間がユーザに耐えうる時間（例えば１０秒や３０秒など）に達するか否かを判別して、実行／省略の選択を行うようにしても良い。
【００７４】
さらに、この実施形態の電子時計１では、時分針２，３を順転と逆転に高速回転できるとともに、順転と逆転の場合とで高速回転の速度が異なってくるため、この速度の差を簡易表示の実行／省略を選択する際の判別しきい値に反映させているので、より適した簡易表示の実行／省略の選択処理が可能になっている。
【００７５】
［第２実施形態］
図１３には、本発明の第２実施形態の電子時計１Ａの詳細な正面図を示す。
【００７６】
第２実施形態の電子時計１Ａは、簡易表示で使用する指針を第１実施形態と異ならせたものであり、その他の制御処理や処理動作の内容は第１実施形態と同様である。
【００７７】
第２実施形態の電子時計１Ａは、様々な機能を備えたクロノグラフであり、文字盤９の中央で回転する時針２、分針３、センター針４と、文字盤９の右側範囲で回転する右指針５と、文字盤９の下側範囲で回転する下指針６と、文字盤９の左側範囲で回転する左指針７とを備えている。文字盤９の内周部には一周を１２分割した大きな時間目盛り９８，９８，…９８が形成されている。また、時計本体の側方には操作ボタン３７ａ〜３７ｄが設けられている。
【００７８】
センター針４は、ストップウォッチ機能時における計測秒針となったり、各種機能動作の内容を示す機能針となったりするものである。センター針４が回転する周囲には０秒〜６０秒まで１秒単位の目盛りが刻まれた第１目盛り枠９２や、ワールドモード切換モードで時刻表示を切り換える際の各地域が表示された地域表示枠９１が設けられている。地域表示枠９１には−１時間のサマータイムと−２時間のサマータイムを表わす目盛りも表示されている。さらに、これら地域表示枠９１や第１目盛り枠９２の内側には、機能動作の待機中であることを示す「READY」、機能動作中であることを示す「WORK」、機能動作のオン・オフの選択位置を示す「ON」「OFF」などの文字表示９３〜９６が設けられている。
【００７９】
右指針５は、曜日表示、潮位表示、サマータイム（ＤＳＴ）の状態表示などを行うモード針である。右指針５が回転する周囲には、潮位を表わす潮位枠８１と、曜日を示す曜日枠８２と、サマータイムの状態表示を表わす状態表示枠８３などが設けられている。ユーザは、操作ボタン３７ａ〜３７ｄを操作して、これらの表示モードを切り換えられるようになっている。
【００８０】
さらに、右指針５は、ストップウォッチ機能時における計測分針となるもので、上記の潮位枠８１、曜日枠８２、状態表示枠８３の内側には、一周を１２分割（さらに細かく６０分割でも良い）した目盛りを有する目盛り枠８４が形成されている。
【００８１】
下指針６は、通常の時刻表示モードでは秒針として機能し、ストップウォッチ機能時には１／２０秒針として機能するものである。下指針６が回転する周囲には、一周を６０分割した目盛りを有する第２目盛り枠７１や、一周を２０分割した目盛りを有する第３目盛り枠７２が設けられている。
【００８２】
左指針７は、２４時間表示の時桁を指し示す２４時間時針である。そして、その回転範囲には２４時間桁の表示を行う目盛り枠６１が形成されている。
【００８３】
この第２実施形態の電子時計１Ａにおいて、簡易表示に使用する指針は、センター針４と下指針６である。例えば、簡易表示において、センター針４により時針２の目的の針位置を指し示し、下指針６により分針３の目的の針位置を指し示すようになっている。センター針４は時間目盛り９８，９８，…９８により、時針２の目的位置をユーザに表示しやすいようになっている。また、下指針６の周囲には、６０分割された第２目盛り枠７１が設けられているので、分針３の目的の針位置をユーザに表示しやすいようになっている。
【００８４】
なお、簡易表示で使用する指針は、上記の組み合わせに限られず、例えば、右指針５を使用するように構成することもできる。その場合でも、その内周側に設けられた目盛り枠８４等により、時針２や分針３の目的の針位置を表示することが可能である。
【００８５】
さらに、第１と第２実施形態においては、左指針７を時針２や分針３と連動する２４時間時針としたため、左指針７を簡易表示に使用することはできないが、この左指針７が独立的に回転駆動可能な構成であれば、この左指針７を簡易表示に使用しても良い。
【００８６】
なお、本発明は、上記の第１および第２実施形態に限られるものでなく、種々の変更が可能である。例えば、２本の指針５，６を同様に駆動して時針２または分針３の目的の針位置を指し示すように構成しても良い。また、実施形態では、時針２と分針３とが目的の針位置に移動を完了させてから、簡易表示を元に戻す処理を行っていたが、簡易表示は所定時間（例えば１０秒など）だけ行ったら、時分針２，３の移動完了を待たずに元に戻すようにしても良いし、また、ユーザの操作を待って元に戻すようにしても良い。
【００８７】
また、２４時間表示を行う構成でなく、午前と午後の動作が同一にされる電子時計であれば、時分針２，３の移動ステップの算出処理では１２時間を一周単位とした算出法を採用すればよい。また、第１実施形態では、自動時刻修正処理時の時分針２，３の早送り処理について詳述したが、その他、アラーム時刻設定確認処理やワールドモード切換処理など、時分針２，３を高速に回転させて目的の針位置まで移動させる処理において、本発明は同様に適用可能である。その他、文字盤９の構成、各指針の機能、制御プログラムの内容など、実施の形態で示した細部は発明の趣旨を逸脱しない範囲で適宜変更可能である。
【図面の簡単な説明】
【００８８】
【図１】本発明の第１実施形態の電子時計の文字盤上の構成を示す図である。
【図２】第１実施形態の電子時計の内部構成を示すブロック図である。
【図３】時分針早送り処理の処理手順を示したフローチャートである。
【図４】図３のステップＳ７で実行される簡易時刻表示用針早送りセット処理のサブルーチン処理のフローチャートである。
【図５】図３のステップＳ９で開始された割込み処理により時分針が目的の針位置に到達した際に実行される時分針早送り終了処理の処理手順を示すフローチャートである。
【図６】自動時刻修正処理における各指針の第１段階の動きを表わした説明図である。
【図７】自動時刻修正処理における各指針の第２段階の動きを表わした説明図である。
【図８】現在位置から早送りセット位置までのステップ数の算出方法や回転方向の判別方法を示す説明図である。
【図９】自動時刻修正処理における各指針の第３段階の動きを表わした説明図である。
【図１０】自動時刻修正処理における各指針の第４段階の動きを表わした説明図である。
【図１１】自動時刻修正処理における各指針の第５段階の動きを表わした説明図である。
【図１２】自動時刻修正処理における各指針の第６段階の動きを表わした説明図である。
【図１３】本発明の第２実施形態の電子時計の詳細な構成を示す正面図である。
【符号の説明】
【００８９】
１，１Ａ    電子時計
２    時針
３    分針
４    センター針
５    右指針
６    下指針
７    左指針
９    文字盤
６１，８４  目盛り枠
９２  第１目盛り枠
７１  第２目盛り枠
７２  第３目盛り枠
９１  地域表示枠
９８  目盛り
８１  潮位枠
８２  曜日枠
８３  状態表示枠
【図１】
2010066046.tif 000003
【図２】
2010066046.tif 000004
【図３】
2010066046.tif 000005
【図４】
2010066046.tif 000006
【図５】
2010066046.tif 000007
【図６】
2010066046.tif 000008
【図７】
2010066046.tif 000009
【図８】
2010066046.tif 000010
【図９】
2010066046.tif 000011
【図１０】
2010066046.tif 000012
【図１１】
2010066046.tif 000013
【図１２】
2010066046.tif 000014
【図１３】
2010066046.tif 000015